(57)【要約】【課題】特定の操作部材に対する操作において、誤操作の発生を抑制しつつ少ない力で素早く操作を行うことが可能な撮像制御装置を提供する。【解決手段】本発明に係る撮像制御装置は、特定の操作部材に対する押圧力を検知する検知手段と、表示手段に撮像手段で撮像されているライブビュー画像を表示していない第１の動作モードの際に、特定の操作部材に対する第１の圧力以上の押圧を検知したことに応じて、表示手段に撮像手段で撮像されているライブビュー画像を表示する第２の動作モードに遷移するように制御し、第２の動作モードの際に、特定の操作部材に対する第１の圧力未満の第２の圧力以上の押圧を検知したことに応じて、撮影準備処理を行うように制御し、第２の動作モードの際に、特定の操作部材に対する第２の圧力よりも大きい第３の圧力以上の押圧を検知したことに応じて、撮像手段での撮影を行い、該撮影により得られた画像を画像ファイルとして記録するように制御する制御手段とを有する。【選択図】図４
2020027194.tif 000002
【特許請求の範囲】
【請求項１】
特定の操作部材に対する押圧力を検知する検知手段と、
表示手段に撮像手段で撮像されているライブビュー画像を表示していない第１の動作モードの際に、前記特定の操作部材に対する第１の圧力以上の押圧を検知したことに応じて、前記表示手段に前記撮像手段で撮像されているライブビュー画像を表示する第２の動作モードに遷移するように制御し、
前記第２の動作モードの際に、前記特定の操作部材に対する前記第１の圧力未満の第２の圧力以上の押圧を検知したことに応じて、撮影準備処理を行うように制御し、
前記第２の動作モードの際に、前記特定の操作部材に対する前記第２の圧力よりも大きい第３の圧力以上の押圧を検知したことに応じて、前記撮像手段での撮影を行い、該撮影により得られた画像を画像ファイルとして記録するように制御する制御手段と、を有することを特徴とする撮像制御装置。
【請求項２】
特定の操作部材に対する押圧力を検知する検知手段と、
表示手段に撮像手段での特定の撮影設定を表示していない第１の動作モードの際に、前記特定の操作部材に対する第１の圧力以上の押圧を検知したことに応じて、前記表示手段に前記特定の撮影設定を表示する第２の動作モードに遷移するように制御し、
前記第２の動作モードの際に、前記特定の操作部材に対する前記第１の圧力未満の第２の圧力以上の押圧を検知したことに応じて、撮影準備処理を行うように制御し、
前記第２の動作モードの際に、前記特定の操作部材に対する前記第２の圧力よりも大きい第３の圧力以上の押圧を検知したことに応じて、前記撮像手段での撮影を行い、該撮影により得られた画像を画像ファイルとして記録するように制御する制御手段と、を有することを特徴とする撮像制御装置。
【請求項３】
前記特定の撮影設定は、前記撮像制御装置が備える複数の撮影モードのうちの設定されている撮影モード、記録する前記画像の記録サイズ、撮像する画像のアスペクト比、撮像する際のストロボ発光の設定、撮像するまでの時間を設定するためのセルフタイマー設定、前記撮像手段で撮像するための絞り値、シャッター速度、露出補正、ＩＳＯ感度、ホワイトバランス、動画のフレームレート、記録可能な画像の枚数を表す残り撮影可能枚数、及び、記録可能な動画の撮影時間を表す残り撮影可能時間のうち少なくとも１つを含む、ことを特徴とする請求項２に記載の撮像制御装置。
【請求項４】
前記表示手段は、光学ファインダ内の表示手段である、ことを特徴とする請求項２に記載の撮像制御装置。
【請求項５】
前記制御手段は、前記第１の動作モードの際に前記特定の操作部材に対する前記第１の圧力未満の押圧があっても前記第２の動作モードには遷移させない、ことを特徴とする請求項１から４のいずれか１項に記載の撮像制御装置。
【請求項６】
前記制御手段は、前記第１の動作モードの際に前記特定の操作部材に対する前記第１の圧力未満の押圧があっても押圧に応じた処理を行わない、ことを特徴とする請求項５に記載の撮像制御装置。
【請求項７】
前記制御手段は、前記第１の動作モードの際に前記特定の操作部材に対する前記第１の圧力未満、かつ、第４の圧力以上の押圧があった場合に、選択している選択肢で決定する処理を行う、ことを特徴とする請求項５に記載の撮像制御装置。
【請求項８】
前記第３の圧力は、前記第１の圧力よりも大きい、ことを特徴とする請求項１から７のいずれか１項に記載の撮像制御装置。
【請求項９】
前記表示手段は、再生画像又はライブビュー画像を表示可能な表示手段を含む、ことを特徴とする請求項１から８のいずれか１項に記載の撮像制御装置。
【請求項１０】
前記第１の動作モードは、記録媒体に記録された画像を再生して前記表示手段に表示する再生モードである、ことを特徴とする請求項１から９のいずれか１項に記載の撮像制御装置。
【請求項１１】
前記第１の動作モードは、前記撮像制御装置の設定メニューを前記表示手段に表示するメニュー表示モードである、ことを特徴とする請求項１から９のいずれか１項に記載の撮像制御装置。
【請求項１２】
前記第２の動作モードは、前記撮像手段により撮影を行うための動作モードである、ことを特徴とする請求項１から１１のいずれか１項に記載の撮像制御装置。
【請求項１３】
前記撮影準備処理は、オートフォーカスの実行、測光、自動露出の少なくとも１つを実行する処理である、ことを特徴とする請求項１から１２のいずれか１項に記載の撮像制御装置。
【請求項１４】
前記特定の操作部材は、当該撮像制御装置を把持するためのグリップを把持した手の指で操作可能な位置に配置された操作部材である、ことを特徴とする請求項１から１３のいずれか１項に記載の撮像制御装置。
【請求項１５】
前記特定の操作部材は、前記手の人差し指で操作可能な位置に配置された操作部材である、ことを特徴とする請求項１４に記載の撮像制御装置。
【請求項１６】
前記特定の操作部材に対するタッチ操作を検出可能なタッチ検出手段を更に有する、ことを特徴とする請求項１から１５のいずれか１項に記載の撮像制御装置。
【請求項１７】
前記タッチ検出手段は、前記特定の操作部材にタッチしたままタッチ位置を移動する操作を検出可能であり、
前記制御手段は、更に、検出された前記タッチ位置を移動する操作に応じた処理を行うことが可能である、ことを特徴とする請求項１６に記載の撮像制御装置。
【請求項１８】
前記撮像制御装置は、前記撮像手段を更に備える、ことを特徴とする請求項１から請求項１７のいずれか１項に記載の撮像制御装置。
【請求項１９】
特定の操作部材に対する押圧力を検知する検知手段を有する撮像制御装置の制御方法であって、
制御手段が、表示手段に撮像手段で撮像されているライブビュー画像を表示していない第１の動作モードの際に、前記特定の操作部材に対する第１の圧力以上の押圧を検知したことに応じて、前記表示手段に前記撮像手段で撮像されているライブビュー画像を表示する第２の動作モードに遷移するように制御し、
前記第２の動作モードの際に、前記特定の操作部材に対する前記第１の圧力未満の第２の圧力以上の押圧を検知したことに応じて、撮影準備処理を行うように制御し、
前記第２の動作モードの際に、前記特定の操作部材に対する前記第２の圧力よりも大きい第３の圧力以上の押圧を検知したことに応じて、前記撮像手段での撮影を行い、該撮影により得られた画像を画像ファイルとして記録するように制御する制御工程、を有することを特徴とする撮像制御装置の制御方法。
【請求項２０】
特定の操作部材に対する押圧力を検知する検知手段を有する撮像制御装置の制御方法であって、
制御手段が、表示手段に撮像手段での特定の撮影設定を表示していない第１の動作モードの際に、前記特定の操作部材に対する第１の圧力以上の押圧を検知したことに応じて、前記表示手段に前記特定の撮影設定を表示する第２の動作モードに遷移するように制御し、
前記第２の動作モードの際に、前記特定の操作部材に対する前記第１の圧力未満の第２の圧力以上の押圧を検知したことに応じて、撮影準備処理を行うように制御し、
前記第２の動作モードの際に、前記特定の操作部材に対する前記第２の圧力よりも大きい第３の圧力以上の押圧を検知したことに応じて、前記撮像手段での撮影を行い、該撮影により得られた画像を画像ファイルとして記録するように制御する制御工程、を有することを特徴とする撮像制御装置の制御方法。
【請求項２１】
コンピュータを、請求項１から１８のいずれか１項に記載された撮像制御装置の各手段として機能させるためのプログラム。
【請求項２２】
コンピュータを、請求項１から１８のいずれか１項に記載された撮像制御装置の各手段として機能させるためのプログラムを格納したコンピュータが読み取り可能な記憶媒体。
【発明の詳細な説明】
【技術分野】
【０００１】
本発明は、撮像制御装置、その制御方法、プログラムおよび記録媒体に関する。
【背景技術】
【０００２】
従来、撮像装置には、撮影のためにグリップした状態で撮影の設定を変更できるように、人差し指や親指の近傍に設定変更ボタンや回転ダイヤルなどの操作部材を配置したものが知られている。このような撮像装置では、撮影者は、まず人差し指と親指とをそれぞれレリーズボタンと撮影中に使用するボタン等とに置いて撮影を行い、設定変更の際には設定変更ボタンや回転ダイヤルなどに指を置き直す。撮影者がファインダを覗いた状態でこのような設定変更を行う場合には、操作部材を目視できないため、指を置き直す際に誤操作が発生したり、指を置き直す間に撮影機会を逃してしまう恐れがある。すなわち、撮影時に指の置き直しが少なく容易に操作することが可能な操作部材が望まれる。
【０００３】
このような課題に対し、特許文献１では、撮影者が指を置く位置に押圧を感知可能なタッチパネルを配置した撮像装置を提案している。この撮像装置は、撮影者が所定の閾値以上の押圧で所定のボタン領域を押下した場合にはレリーズ動作を行い、当該領域上を所定の閾値未満の押圧で指を上下又は左右に移動させた場合には、その操作方向に応じたズーム位置の調整を行う。このような撮像装置によれば、撮影者はレリーズ操作とズーム操作に関して指の置き直しが減少する。
【先行技術文献】
【特許文献】
【０００４】
【特許文献１】特願２０１０−３５１０７号公報
【発明の概要】
【発明が解決しようとする課題】
【０００５】
しかしながら、特許文献１で提案された技術では、撮影時以外の操作すなわちメニュー設定時の操作や再生時の操作と、撮影時の操作との間で誤操作の発生を抑制することについては考慮していなかった。そのため、メニュー設定時の操作や再生時の操作に特許文献１に記載のタッチパネルを操作した場合、押圧力が所定の閾値以上となった場合にはシャッターレリーズ動作が行われてしまい、意図せず撮影状態へ遷移してしまうことが想定される。
【０００６】
本発明は、上記課題に鑑みてなされ、その目的は、特定の操作部材に対する操作において、誤操作の発生を抑制しつつ少ない力で素早く操作を行うことが可能になる技術を実現することである。
【課題を解決するための手段】
【０００７】
この課題を解決するため、例えば本発明の撮像制御装置は以下の構成を備える。すなわち、特定の操作部材に対する押圧力を検知する検知手段と、表示手段に撮像手段で撮像されているライブビュー画像を表示していない第１の動作モードの際に、前記特定の操作部材に対する第１の圧力以上の押圧を検知したことに応じて、前記表示手段に前記撮像手段で撮像されているライブビュー画像を表示する第２の動作モードに遷移するように制御し、前記第２の動作モードの際に、前記特定の操作部材に対する前記第１の圧力未満の第２の圧力以上の押圧を検知したことに応じて、撮影準備処理を行うように制御し、前記第２の動作モードの際に、前記特定の操作部材に対する前記第２の圧力よりも大きい第３の圧力以上の押圧を検知したことに応じて、前記撮像手段での撮影を行い、該撮影により得られた画像を画像ファイルとして記録するように制御する制御手段とを有することを特徴とする。
【発明の効果】
【０００８】
本発明によれば、特定の操作部材に対する操作において、誤操作の発生を抑制しつつ少ない力で素早く操作を行うことが可能になる。
【図面の簡単な説明】
【０００９】
【図１】本実施形態に係る撮像システムに含まれる撮像制御装置及び撮影レンズユニットの機能構成例を示すブロック図
【図２】本実施形態に係る撮像制御装置の一例としてのデジタルカメラの前面斜視図、及び（ｂ）本実施形態に係るデジタルカメラの背面斜視図
【図３Ａ】、
【図３Ｂ】本実施形態に係るタッチ操作部材を説明する図
【図４】本実施形態に係るデジタルカメラが撮影待機状態、或いは、撮影待機以外の状態にある場合のタッチ操作部材に対する押圧力と静電容量閾値を示す図
【図５】本実施形態に係る撮影モードにおける表示部材等の表示例を示す図
【図６】本実施形態に係る撮影待機状態における撮影までの一連の動作を示す図
【図７】本実施形態に係るデジタルカメラの撮影待機以外の状態での撮影に於ける一連の動作を示す図
【発明を実施するための形態】
【００１０】
以下、本発明の例示的な実施形態について、図面を参照して詳細に説明する。なお、以下の説明では、本実施形態に係る撮像制御装置の一例として特定の操作部材に対する押圧力を検出可能なデジタルカメラを例に説明する。
【００１１】
（デジタルカメラと撮影レンズユニットの構成）
図１は、本実施形態におけるデジタルカメラ００１と撮影レンズユニット００２とを含む撮像システムの機能構成例を示している。
【００１２】
制御部１０１は、少なくとも１つのプロセッサまたは回路からなる制御部であり、デジタルカメラ００１全体を制御する。例えば、記憶部１０２に記憶されたプログラムを実行することで、後述する本実施形態の各処理を実現する。制御部１０１は、例えばＤＲＡＭ等からなる記憶部１０２を含み、記憶部１０２には制御部１０１の動作用の定数、変数、記憶部１０２から読み出したプログラム等が展開される。また、制御部１０１は表示装置駆動回路１１０、表示部材００９等を制御することにより表示制御も行う。
【００１３】
制御部１０１には、ミラー駆動回路１０３、スイッチセンス回路１０４、焦点検出回路１０５、映像信号処理回路１０９が接続されている。これらの回路は、制御部１０１の制御により動作する。制御部１０１は、撮影レンズユニット００２内のレンズ制御回路１５１とマウント接点０１３を介して通信する。マウント接点０１３は、撮影レンズユニット００２が接続されると制御部１０１へ信号を送信する機能も有する。これにより、レンズ制御回路１５１は、制御部１０１との間で通信を行い、撮影レンズユニット００２内の撮影レンズ１５２の駆動を行い被写体の焦点を合わせることができる。メインミラー００３は、光軸００２ａに対して４５°の角度に保持された状態で、撮影レンズユニット００２を通過する光束をファインダユニット００７へ導くと共に、その一部を透過させてサブミラー００４へ導く。サブミラー００４で反射された光束は焦点検出部００５に導光され、位相差方式の焦点検出を行う。焦点検出部００５は焦点検出によって得られた焦点情報を焦点検出回路１０５へ供給する。焦点検出回路１０５は、焦点情報に基づいて焦点検出演算を行い、デフォーカス量及びデフォーカス方向を求める。制御部１０１は、得られたデフォーカス量及びデフォーカス方向に基づいて、レンズ制御回路１５１を介して撮影レンズ１５２を合焦位置まで駆動する。このとき、制御部１０１がデフォーカス量及びデフォーカス方向を求めてもよい。
【００１４】
撮像ユニット００８は、被写体像を光電変換する撮像素子を有する。撮像素子はＣＣＤ型、ＣＭＯＳ型及びＣＩＤ型などの様々な形態があり、いずれの形態であってもよい。ミラー駆動回路１０３は、例えばＤＣモータとギヤトレインとを含む。ミラー駆動回路１０３は、メインミラー００３を、ファインダにより被写体像を観察可能とする位置と、撮影光束から上方に待避する位置とに選択的に駆動する。
【００１５】
ファインダユニット００７は、例えばペンタダハプリズムもしくはペンタダハミラーを含み、メインミラー００３により反射された撮影光束を正立正像に変換反射する。撮影者はファインダユニット００７を介して被写体像を観察することができる。また、ファインダ内表示ユニット００６によって、選択中の測距点情報などの撮影条件表示を確認することができる。クランプ／ＣＤＳ（相関二重サンプリング）回路１０６は、Ａ／Ｄ変換する前のアナログ信号に対する処理を行うものであり、クランプレベルを変更することも可能である。ＡＧＣ（自動利得調整装置）１０７は、Ａ／Ｄ変換する前のアナログ信号に対して、例えばＡＧＣ基本レベルの変更を行う。Ａ／Ｄ変換器１０８は、撮像ユニット００８のアナログ出力信号をデジタル信号（画像データ）に変換する。
【００１６】
映像信号処理回路１０９は、デジタル化された画像データに対して、例えばガンマ／ニー処理やフィルタ処理のほか、ハードウェアによる画像処理全般を実行する。この映像信号処理回路１０９からのモニタ表示用の画像データは、表示装置駆動回路１１０を介して表示部材００９に表示される。
【００１７】
表示部材００９は、例えばＴＦＴ液晶表示装置からなり、各種カメラ設定などのメニュー設定操作、記録媒体１１２からの再生画像、ライブビュー撮影時におけるライブビュー画像などの表示を行う表示装置である。
【００１８】
スイッチセンス回路１０４は、各スイッチの操作状態に応じて入力信号を制御部１０１に送信する。撮影者が測距点選択ボタン０１０を押下した場合、制御部１０１は、任意の位置に測距点を移動することができる状態に遷移させる。また、撮影者が撮影モード切り替えボタン０１１を押下した場合、制御部１０１は、タッチレリーズ操作により１回の撮影を行う単写モードと、当該タッチレリーズ操作中に複数枚の撮影を行う連写モードとの切り替えを行う。なお、測距点選択ボタン０１０と撮影モード切り替えボタン０１１とはそれぞれ操作部材を構成する。
【００１９】
タッチ操作部材０１２は、タッチ操作による静電容量を検出可能なタッチ検出手段であるタッチ検出部０１２ｂを含む。タッチセンス回路１１１は、タッチ検出部０１２ｂの出力に基づきタッチ操作部材０１２への接触の位置及び面積を検知可能であり、押圧力を示す情報（例えば後述する静電容量出力値）やその他のタッチ操作情報を制御部１０１に送信する。すなわち、タッチセンス回路１１１は、操作部材に対する押圧の位置及びその押圧力を検知する検知手段として機能する。制御部１０１は、タッチセンス回路１１１からの押圧力を示す情報に基づいて撮影準備処理や撮影処理を行ったり、その他のタッチ操作情報に基づいてメニュー操作等を制御したりする。タッチ操作部材０１２に対する操作に応じた制御部１０１の処理については後述する。
【００２０】
記録媒体１１２は、半導体メモリや磁気ディスク等からなる記録媒体であり、撮影された画像、各種カメラ設定値、プログラムを記録する。
【００２１】
（デジタルカメラの外観構成）
次に、図２（ａ）及び図２（ｂ）を参照して、デジタルカメラ００１の外観構成について説明する。図２（ａ）はデジタルカメラ００１の前面斜視図を示し、図２（ｂ）はデジタルカメラ００１の背面斜視図を示している。
【００２２】
グリップ部２０１は、撮影者が撮影時などにデジタルカメラ００１を手で把持する部分である。グリップ部２０１の上部であって、撮影者がデジタルカメラ００１を把持している状態で人差し指によって操作可能な位置にタッチ操作部材０１２が配設されている。タッチ操作部材０１２の構成詳細については、図３Ａを参照して後述する。
【００２３】
マウント２０２は、撮影レンズユニット００２（図２（ａ）においては不図示）をデジタルカメラ００１に装着する例えばリング状の金属部材である。マウント２０２の内側にはマウント接点０１３がマウント２０２と同心円状に複数の接点を持って配設されている。
【００２４】
ファインダ接眼窓２０３は、ファインダユニット００７の被写体と反対側に取付けられており、撮影者が覗くことで撮影レンズユニット００２およびファインダユニット００７を介した被写体像の観察を行うことができる。ファインダユニット００７は、ファインダ内の表示手段として機能するファインダ内表示ユニット００６を含む。
【００２５】
デジタルカメラ００１の背面部には、撮影者がグリップ部２０１を把持している状態で親指で操作可能な部分に、例えば、測距点選択ボタン０１０、撮影モード切り替えボタン０１１が配設されている。
【００２６】
メニューボタン２０４及び再生ボタン２０５は、それぞれ操作部材を構成し、背面部の表示部材００９の右側に配設されている。撮影者はデジタルカメラ００１を把持している状態で親指によって操作可能な位置にメニューボタン２０４又は再生ボタン２０５を配置している。メニューボタン２０４又は再生ボタン２０５を押下することで、撮影者は表示部材００９を確認しながらメニュー設定操作又は撮影画像の再生を行うことができる。
【００２７】
（タッチ操作部材の構成）
次に、図３Ａ及び図３Ｂを参照して、本実施形態におけるタッチ操作部材０１２の構成について説明する。図３Ａ（ａ）は、本実施形態に係るタッチ操作部材０１２の部分斜視図を示している。タッチ操作部材０１２は、デジタルカメラ００１の外部筐体の一部がタッチ操作可能に構成された操作部材であり、タッチ操作領域３０１の範囲でタッチ操作が可能となっている。タッチ検出部０１２ｂは、図３Ａ（ｂ）の裏面視部分斜視図に示すように、タッチ操作領域３０１を覆うように配置されている。更に、図３Ａ（ｃ）の部分分解斜視図に示すように、タッチ検出部０１２ｂは、接着剤等の固定部材３０２によって外部筐体の裏面に固定される。図３Ａ（ｄ）は、図３Ａ（ｃ）の部分分解斜視図に対応するタッチ操作部材の裏面から見た部分分解斜視図を示している。タッチ検出部０１２ｂが有する詳細な構成については図３Ａの（ｅ）を参照して説明する。
【００２８】
タッチ操作部材０１２が外部筐体の一部となるように構成される為、外部筐体にボタン設定用の穴を設ける必要が無く、防塵防滴性能がよく、デジタルカメラ００１の外観意匠の自由度を向上させることができる。また、タッチ操作領域３０１を、撮影者がデジタルカメラ００１を把持した際に、自然に人差し指がおかれる位置に設定している。このようにすることで、撮影者がカメラ設定変更などでタッチ操作を行う際にも、人差し指の位置を変える必要がなく、常に安定した把持状態を維持することが可能になる。そのため、操作性が良くかつ瞬時に撮影動作に移ることができ、決定的瞬間を取り逃さないデジタルカメラ００１を提供することができる。
【００２９】
次に、タッチ検出部０１２ｂの構成について、図３Ａ（ｅ）を参照して説明する。図３Ａ（ｅ）は、本実施形態に係るタッチ操作部材０１２のタッチ検出部０１２ｂの構成を示している。タッチ検出部０１２ｂは、ポリイミドのベース部に対して、銅箔によりパターン形成されたいわゆるフレキシブルプリント基板（＝ＦＰＣ）によって構成されている。タッチ操作領域３０１の全体を覆うタッチ検出部０１２ｂの外形内には、例えば上下左右４箇所において、銅パターン３０３、３０４、３０５及び３０６が形成される。例えば、銅パターン３０３が上側検出部として、そして銅パターン３０５が下側検出部として用いられる。また、銅パターン３０６は右側検出部として、銅パターン３０４は左側検出部として用いられる。銅パターンはそれぞれタッチセンス回路１１１に接続されている。タッチセンス回路１１１は、上下左右の対応するタッチ検出部の静電容量の変化を検出する。
【００３０】
制御部１０１は、タッチセンス回路１１１の出力結果のバランスにより、撮影者の指によるタッチ操作部材０１２への接触の位置及び面積を検出する。これにより、タッチ操作部材０１２は、撮影者の指による押圧方向操作および平面方向操作を検出することが可能である。
【００３１】
次に、タッチ操作部材０１２の平面方向操作と測距点選択の対応について、図３Ａ（ｆ）を参照して説明する。図３Ａ（ｆ）は、本実施形態に係るタッチ操作部材０１２の測距点と感度領域の対応を示している。
【００３２】
デジタルカメラ００１が撮影待機状態にある場合、ファインダユニット００７内のファインダ内表示ユニット００６は、測距点表示３０７を表示する。撮影者は、ファインダ接眼窓２０３を覗くことで被写体像とともに測距点表示３０７を視認可能である。この例では、デジタルカメラ００１の測距点数は９点であるため、測距点表示３０７は図３Ａ（ｆ）に示すように菱形上に９点がレイアウトされる。ここで、測距点表示３０７を覆う範囲とタッチ操作領域３０１とは対応するように設定されている。すなわち、タッチ操作領域３０１は、測距点表示３０７のレイアウトに対応して、縦横５×５の２５マスのエリアに分割されている。
【００３３】
例えば、撮影者の指によるタッチ操作部材０１２へのタッチが領域３５０の範囲で行われた場合、対応するエリア（Ｘ４、Ｙ４）が選択され、更に、当該エリアに対応する位置の測距点が選択される。このとき、ファインダ内表示ユニット００６は、選択された測距点に対応した測距点表示３０７を、例えば色や明るさを異ならせるなど他の表示と判別可能に表示する。
【００３４】
次に、タッチ操作とメニュー設定操作の対応について、図３Ｂ（ｇ）及び図３Ｂ（ｈ）を参照して説明する。図３Ｂ（ｇ）は、本実施形態に係るデジタルカメラ００１のメニュー画面を操作する際の画面の様子を示している。また、図３Ｂ（ｈ）は、タッチ操作部材０１２においてメニュー画面を操作する際のタッチ操作の例を示している。撮影者がメニューボタン２０４を押下した場合、制御部１０１は、デジタルカメラ００１の動作モードをメニュー設定操作状態に変更することができる。制御部１０１が動作モードをメニュー設定操作状態に変更した場合、表示部材００９は図３Ａ（ｇ）に示すような各種カメラ設定情報を表示したメニュー画面を表示する。
【００３５】
表示部材００９にメニュー画面が表示されている状態で、撮影者がタッチ操作部材０１２に対する操作を行ったものとする。撮影者による操作は、例えば図３Ｂ（ｈ）に示すようなタッチ操作領域３０１内で矢印Ｘ方向（撮影者にとってカメラ背面から見て右方向）にスワイプする操作（タッチ操作部材０１２表面から指を離さずになぞる操作）である。この場合、制御部１０１は、表示部材００９を制御して、図３Ｂ（ｇ）に示すメニュー画面における最上部のタブの選択をＸ方向（右方向）に遷移させ、そのタブに対応した項目をタブの下に表示させる。
【００３６】
次に、撮影者が図３Ｂ（ｈ）に示すようなタッチ操作領域３０１内で矢印Ｙ方向（撮影者にとってカメラ背面から見て下方向）にスワイプする操作を行ったものとする。この場合、制御部１０１は、表示部材００９を制御して、図３Ｂ（ｇ）に示すメニュー画面における項目の選択をＹ方向（下方向）に遷移させ、項目に対応した内容を変更・設定することができるようにする。一方、同様にタッチ操作部材０１２において、撮影者がＸ方向、Ｙ方向の逆方向にスワイプする操作を行う場合、メニュー画面のタブ、項目がそれぞれ逆方向に遷移する。すなわち、制御部１０１は、撮影者がタッチ操作部材０１２をタッチしたままタッチ位置を移動させる操作に応じて表示部材００９の表示を制御したり、選択された項目の処理を行ったりする。
【００３７】
次に、タッチ操作と再生操作の対応について、図３Ｂ（ｉ）及び図３Ｂ（ｊ）を参照して説明する。図３Ｂ（ｉ）は、デジタルカメラ００１における再生画面の例を示している。また、図３Ｂ（ｊ）は、タッチ操作部材０１２における再生操作を行う際のタッチ操作の例を示している。
【００３８】
撮影者が再生ボタン２０５を押下した場合、制御部１０１は、デジタルカメラ００１を再生操作状態に変更し、表示部材００９の表示を、図３Ｂ（ｉ）に示す撮影画像を再生する再生画面に変更する。
【００３９】
ここで、図３Ｂ（ｊ）に示すように、撮影者がタッチ操作領域３０１内で矢印Ｘ方向（撮影者にとってカメラ背面から見て右方向）にスワイプする操作を行う。この場合、制御部１０１は、図３Ｂ（ｉ）に示す再生画面において、古い撮影画像から順に一つずつ新しい撮影画像に切り替わるように再生表示を制御する。
【００４０】
一方、図３Ｂ（ｊ）に示すように、撮影者がタッチ操作領域３０１内で矢印Ｙ方向（撮影者にとってカメラ背面から見て下方向）にスワイプする操作を行う。この場合、制御部１０１は、図３Ｂ（ｉ）の再生画面において、古い撮影画像から順に１０枚ずつ新しい撮影画像に切り替わるように再生表示を制御する。
【００４１】
また、撮影者がタッチ操作部材０１２においてＸ方向、Ｙ方向の逆方向にスワイプする操作を行った場合、制御部１０１は再生画面の再生表示を、それぞれ上述の制御と逆に制御する。
【００４２】
なお、上述したスワイプ操作は、フリック操作（タッチ操作部材０１２上で指を素早く動かしたり弾いたりして行う操作）であってもよい。
【００４３】
（操作部材に対する押圧力に基づく閾値処理）
次に、タッチ操作部材０１２に対する押圧力に基づく閾値処理について説明する。図４（ａ）は、撮影待機状態におけるタッチ操作部材に対する押圧力と静電容量閾値との関係を示し、図４（ｂ）は、撮影待機以外の状態におけるタッチ操作部材に対する押圧力と静電容量閾値との関係を示している。なお、撮影待機状態は、例えば表示部材００９に撮像ユニット００８で撮像されているライブビュー画像を表示する動作モードの状態をいう。或いは、表示部材００９に撮像ユニット００８での特定の撮影設定を表示する状態であってもよい。一方、撮影待機以外の状態は、例えば表示部材００９に撮像ユニット００８で撮像されているライブビュー画像を表示していない動作モードの状態である。例えば、設定メニューの画面を表示したメニュー表示モードや記録された画像を再生して表示する再生モードの状態をいう。或いは、表示部材００９に撮像ユニット００８での特定の撮影設定を表示していない状態であってもよい。
【００４４】
図４（ａ）及び（ｂ）に示す例では、操作部材に対する押圧力を判定するために静電容量の出力値Ｓを用いている。押圧力が増加するとタッチ操作部材０１２に対して撮影者の指の接地面積が増加し、それに比例して静電容量出力値Ｓも大きくなる。本実施形態の例では、撮影者の指がタッチ操作部材０１２に振れていない状態をＳ＝０（図の上側の状態）で表す。また、撮影者の指がタッチ操作部材０１２を押し切り、静電容量出力値Ｓが最大に至った状態をＳ＝１００（図の下側の状態）で表す。
【００４５】
操作部材に対する押圧力の値に応じて、制御部１０１は、カメラ制御状態を下記の３つの状態（ＳＷ０、ＳＷ１、ＳＷ２）に遷移させる。「ＳＷ０」は、撮影者の指のタッチ位置に応じて測距点を選択する測距点選択状態である。「ＳＷ１」は、ボタン式のシャッターボタンでいうところの操作途中、いわゆる半押し（撮影準備指示）でＯＮとなることに対応する状態である。制御部１０１は、ＳＷ０で選択された測距点位置での被写体測距動作（オートフォーカス処理）及び調光動作（自動露出処理）や測光処理、ＥＦ（フラッシュプリ発光）処理等を行う撮影準備処理の動作を開始させる。「ＳＷ２」は、選択された測距点位置での撮影を行う撮影状態であり、ボタン式シャッターボタンでいうところの操作完了、いわゆる全押し（撮影指示）でＯＮとなることに対応する状態である。制御部１０１は、撮像ユニット００８からの信号読み出しから、画像データを記録媒体１１２に画像ファイルとして記録するまでの一連の撮影処理の動作を開始する。
【００４６】
ここで、タッチ操作部材０１２に対してタッチ操作を行った際のＳＷ０、ＳＷ１、ＳＷ２への移行閾値をそれぞれ、第１閾値（Ｔｈｒｅｓｈ１）、第２閾値（Ｔｈｒｅｓｈ２）、第３閾値（Ｔｈｒｅｓｈ３）と定義する。
【００４７】
図４（ａ）に示すように、撮影待機状態である場合には、各閾値はそれぞれ、
Ｔｈｒｅｓｈ１＝ａ１＝０
Ｔｈｒｅｓｈ２＝ｂ１（＞０）
Ｔｈｒｅｓｈ３＝ｃ１（＜１００）
と設定されている。この閾値は、押圧方向への操作と解放方向への操作との両方に同一の値を用いてよい。
【００４８】
また、図４（ｂ）に示すように、撮影待機以外の状態である場合には、各閾値はそれぞれ、
Ｔｈｒｅｓｈ１＝ａ２（＞０）
Ｔｈｒｅｓｈ２＝ｂ２
Ｔｈｒｅｓｈ３＝ｃ２（＜１００）
と設定されている。ここで、ｂ１≦ｂ２、ｃ１≦ｃ２とする。静電容量出力値Ｓが一度Ｔｈｒｅｓｈ３＝ｃ２を超えると、各閾値は図４（ａ）で示す撮影待機状態へと戻る。
【００４９】
このように、撮影待機以外の状態では、Ｔｈｒｅｓｈ１（＝ａ２）をＳ＝０より大きい値に設定することで、タッチ操作部材０１２に対する押圧がａ２の圧力未満であっても、ＳＷ０状態に移行しない。一方、押圧がａ２の圧力以上（かつｂ２未満）であれば、撮影者が選択している選択肢を選択したりＳＷ０に移行したりする。すなわち、撮影者がタッチ操作部材０１２に対して平面方向操作を行っている場合に、意図せず選択肢を決定したりＳＷ０状態へ移行したりする誤操作を抑制することができる。また、撮影者は、タッチ操作部材０１２に対して静電容量出力値ＳがＴｈｒｅｓｈ３＝ｃ２を超えるような少し強い押圧方向操作を行うことで撮影待機状態のＳＷ０状態に移行することができる。このように、撮影者が撮影待機以外の状態から撮影待機状態に誤って移行させてしまうことを防止しつつ、撮影待機状態では、軽い力で素早く軽快に撮影準備指示を出すことが可能になる。
【００５０】
このように構成することで、撮影者は安定した把持状態を維持したまま、人差し指の位置を別の操作部材に移すことなく、誤操作の発生を抑制しつつ少ない力で素早く操作を行うことが可能なタッチ操作を提供可能になる。
【００５１】
上述したように、撮影待機状態は、表示部材００９に撮像ユニット００８で撮像されているライブビュー画像を表示する動作モードの状態、或いは、表示部材００９に撮像ユニット００８での特定の撮影設定を表示する状態である。ライブビュー画像を表示部材００９に表示する状態の具体例について、図５（ａ）を参照して説明する。
【００５２】
画面５１０は、デジタルカメラ００１の撮影待機状態において表示部材００９に表示される画面５１０の一例を示している。画面５１０には、撮影待機以外の状態で設定された、撮像ユニット００８による撮影のための撮影設定の内容（設定値等）がライブビュー画像５１１に重畳して表示されると共に、撮影用の機能ボタン５１４〜５１６が表示される。撮影設定の内容には、例えば、測光モードを表す表示５１２、撮影する画像の記録サイズ又は記録画質を表す表示５１３が含まれる。機能ボタンは、タッチ操作部材０１２に対するスワイプ操作によって移動するカーソルによって選択されてもよい。機能ボタン５１４は、露出を変更するためのボタンである。機能ボタン５１５は、ＩＳＯ感度を変更するためのボタンである。機能ボタン５１６は、ライブビュー画像５１１よりも倍率の高い拡大したライブビュー画像を表示するための拡大ボタンである。
【００５３】
図５（ｂ）は、ライブビュー画像を表示していない場合における、撮影待機時の画面５２０の例を示している。この撮影待機時の画面５２０には、デジタルカメラ００１の複数の設定項目について、現在の撮影設定の内容（設定値等）を表示可能な機能ボタン５２１〜５２６が一覧表示されている。例えば、機能ボタン５２１は複数の撮影モードから設定されている撮影モードを表し、機能ボタン５２２は、撮影する画像の記録サイズ或いは記録画質を表す。機能ボタン５２３は露出補正を、機能ボタン５２４はＩＳＯ感度を、機能ボタン５２５はホワイトバランスを、それぞれ表す。更に、機能ボタン５２６は記録媒体１１２に記録可能な残り撮影可能枚数を表す。機能ボタン５２７はオートフォーカスの動作を表す。機能ボタン５２８は設定されている測光モードを表す。その他、表示される撮影設定として、撮影する画像のアスペクト比、撮影する際のストロボ発光の設定、撮影するまでの時間を設定するためのセルフタイマー設定、絞り値、シャッター速度が含まれてよい。また、動画のフレームレート、記録媒体１１２に記録可能な動画の撮影時間を表す残り撮影可能時間が含まれてよい。
【００５４】
更に、図５（ｃ）は、光学ファインダ内で表示される撮影待機時の画面５３０の例を示している。画面５３０は、例えば、オートフォーカスの動作を表す項目５３２、測光モードを表す項目５３３、撮影する画像の記録サイズ或いは記録画質を表す項目５３４を表示することができる。そのほか、画面５３０は、図５（ａ）や図５（ｂ）に記載の項目を表示してもよい。
【００５５】
一方、再生モードでは、制御部１０１は、図３Ｂ（ｉ）に示した表示例のように、撮像ユニット００８による撮影のための撮影設定の内容を表示部材００９に表示しない。
【００５６】
（撮影待機状態における撮影までの一連の動作）
次に、図６を参照して、撮影待機状態における撮影までの一連の動作について説明する。なお、本一連の動作は、制御部１０１が記録媒体１１２に格納されたプログラムを記憶部１０２に展開して実行することにより実現される。なお、本処理は、撮影者がデジタルカメラ００１を把持し、不図示の電源ボタンを押下したところから開始される。
【００５７】
Ｓ６０１では、制御部１０１は、デジタルカメラ００１の電源ＯＮに伴う起動処理を実行する。制御部１０１がデジタルカメラ００１の電源をＯＮにすると、撮影者は撮影を行う為にデジタルカメラ００１を構えたものとする。
【００５８】
Ｓ６０２では、制御部１０１は、メニューボタン２０４もしくは再生ボタン２０５が押下されたか否かを判定する。制御部１０１は、メニューボタン２０４もしくは再生ボタン２０５からの通知に基づいて、これらの操作部材の押下があったと判定した場合、図７において後述するＳ７０３へ進む。制御部１０１は、これらの操作部材の押下がなかったと判定した場合、Ｓ６０３に進む。
【００５９】
Ｓ６０３では、制御部１０１は、第１閾値、第２閾値、第３閾値をそれぞれ以下のように設定する。
Ｔｈｒｅｓｈ１＝ａ１＝０
Ｔｈｒｅｓｈ２＝ｂ１
Ｔｈｒｅｓｈ３＝ｃ１
【００６０】
Ｓ６０４では、制御部１０１は、操作者の指の押圧力を判定する。具体的には、制御部１０１は、タッチ操作部材０１２に入力される撮影者の指の押圧方向操作を検出したタッチセンス回路１１１の検出結果に基づき、静電容量出力値ＳがＳ＞０であるかを判定する。制御部１０１は、静電容量出力値ＳがＳ＞０でないと判定した場合には、撮影者からの操作を待つためにＳ６０４に戻る。そうでない場合には、Ｓ６０４に進む。
【００６１】
Ｓ６０５では、制御部１０１は、撮影者によって測距点選択ボタン０１０が押下されたか否かを判定する。制御部１０１は、測距点選択ボタン０１０が押下されたと判定した場合、タッチ操作部材０１２に入力される撮影者の指のタッチ平面方向操作に対する処理を行うためにＳ６０６に進み、そうでない場合にはＳ６１３に進む。
【００６２】
Ｓ６０６では、タッチセンス回路１１１がタッチ操作部材０１２に入力される撮影者の指のタッチ平面方向操作を検出する。Ｓ６０７では、制御部１０１は、検出された指の位置に追従して測距点を移動させる（すなわち撮影者がタッチしたままタッチ位置を移動させる操作に応じて処理を行う）。
【００６３】
Ｓ６０８では、制御部１０１は、タッチセンス回路１１１によって検出されたタッチ操作部材０１２に入力される撮影者の指の押圧方向操作を判定する。制御部１０１は、タッチセンス回路１１１の検出結果に基づき、静電容量出力値ＳがＳ≧ｂ１であるかを判定し、Ｓ≧ｂ１であると判定した場合、Ｓ６０９に進む。そうでない場合、再び指の平面方向操作位置に追従した測距点移動を検出するためにＳ６０６に戻る。
【００６４】
Ｓ６０９では、制御部１０１は、撮影者の指の位置に対応した測距点を選択された測距点として設定する。そして、Ｓ６１０では、制御部１０１は、例えば焦点検出回路１０５を制御して、設定された測距点での撮影準備動作（例えばオートフォーカス処理や自動露出処理）を行う。
【００６５】
Ｓ６１１では、制御部１０１は、更に検出された静電容量出力値ＳがＳ≧ｃ１であるかを判定する。制御部１０１は、Ｓ≧ｃ１であると判定した場合、撮影者によって撮影指示が与えられたと判定してＳ６１２に進み、そうでない場合、Ｓ６１０の処理を繰り返す。Ｓ６１２では、制御部１０１は、デジタルカメラ００１の各部を制御して所定の撮影動作を開始する。制御部１０１は、所定の撮影動作が完了すると本一連の動作を終了する。
【００６６】
一方、Ｓ６０５において測距点選択ボタン０１０の押下が無いと判定した場合において、Ｓ６１３では、制御部１０１は、前回撮影時の測距点を、選択された測距点として設定する。
【００６７】
Ｓ６１４では、制御部１０１は、タッチセンス回路１１１によって検出されたタッチ操作部材０１２に入力される撮影者の指の押圧方向操作を判定する。例えば、制御部１０１は、タッチセンス回路１１１によって検出された静電容量出力値ＳがＳ≧ｂ１であるかを判定する。制御部１０１は、Ｓ≧ｂ１であると判定した場合、Ｓ６１０に進み、そうでない場合、Ｓ６０５に戻って測距点選択ボタン０１０が押下されたか否かの判定を続ける。
【００６８】
（撮影待機以外の状態における撮影までの一連の動作）
次に、図７を参照して、撮影待機以外の状態における撮影までの一連の動作について説明する。なお、本処理は、図６に示した一連の動作と同様、制御部１０１が記録媒体１１２に格納されたプログラムを記憶部１０２に展開して実行することにより実現される。なお、本処理は、撮影者がデジタルカメラ００１を把持し、不図示の電源ボタンを押下したところから開始される。
【００６９】
制御部１０１は、図６の説明と同様に、Ｓ６０１及びＳ６０２の処理を実行し、メニューボタン２０４もしくは再生ボタン２０５が押下されていないと判定した場合にはＳ６０３に戻る。一方、制御部１０１は、メニューボタン２０４もしくは再生ボタン２０５が押下されたと判定した場合、Ｓ７０３に進む。
【００７０】
Ｓ７０３では、制御部１０１は、第１閾値、第２閾値及び第３閾値をそれぞれ以下のように設定する。
Ｔｈｒｅｓｈ１＝ａ２
Ｔｈｒｅｓｈ２＝ｂ２
Ｔｈｒｅｓｈ３＝ｃ２
【００７１】
Ｓ７０４では、タッチセンス回路１１１がタッチ操作部材０１２に入力される撮影者の指のタッチ平面方向を検出する。Ｓ７０５では、制御部１０１は、タッチセンス回路１１１によって検出されたタッチ平面方向操作に応じて、メニュー設定操作又は再生操作を実行する。メニュー設定操作又は再生操作は、図３Ｂ（ｇ）〜（ｊ）で上述した操作であり、制御部１０１は検出された平面検出位置に応じて表示部材００９による表示を切り換える。
【００７２】
Ｓ７０６では、制御部１０１は、タッチセンス回路１１１によって検出されたタッチ操作部材０１２に入力される撮影者の指の押圧方向操作に基づき、静電容量出力値ＳがＳ≧ａ２であるか否かを判定する。制御部１０１は、Ｓ≧ａ２でないと判定した場合、指のタッチ平面方向の操作を検出するためにＳ７０４に戻り、そうでない場合（すなわちＳ≧ａ２である）、Ｓ７０７に進む。
【００７３】
Ｓ７０７では、制御部１０１は、撮影者によって測距点選択ボタン０１０が押下されたか否かを判定する。制御部１０１は、測距点選択ボタン０１０が押下されたと判定した場合、Ｓ７０８に進み、そうでない場合、Ｓ７１５に進む。
【００７４】
Ｓ７０８では、タッチセンス回路１１１がタッチ操作部材０１２に入力される撮影者の指のタッチ平面方向操作を検出する。そして、Ｓ７０９では、制御部１０１は、タッチセンス回路１１１によって検出されたタッチ平面方向操作に応じて、指の位置に追従するように測距点を移動させる。
【００７５】
Ｓ７１０では、制御部１０１は、タッチセンス回路１１１によって検出される、タッチ操作部材０１２に入力される撮影者の指の押圧方向操作に基づき、静電容量出力値ＳがＳ≧ｂ２であるかを判定する。制御部１０１は、静電容量出力値ＳがＳ≧ｂ２であると判定した場合、Ｓ７１１に進み、そうでない場合、Ｓ７０８に処理を戻す。
【００７６】
Ｓ７１１では、制御部１０１は、操作者の指の位置に対応した測距点を選択された測距点として設定する。Ｓ７１２では、制御部１０１は、設定された測距点での撮影準備動作（例えばオートフォーカス処理や自動露出処理）を行う。Ｓ７１３では、制御部１０１は、更に静電容量出力値ＳがＳ≧ｃ２であるかを判定する。制御部１０１は、Ｓ≧ｃ２であると判定した場合、撮影指示がなされたと判定してＳ７１４に進み、そうでない場合、Ｓ７１２に戻る。
【００７７】
Ｓ７１４では、制御部１０１は、撮影指示に応じて所定の撮影動作を開始する。制御部１０１は、所定の撮影動作が完了した後は、図６に示したＳ６０３へ進み、通常の撮影待機状態での撮影制御の動作に進む。
【００７８】
一方、Ｓ７１５では、Ｓ７０７で測距点選択ボタン０１０が押下されていないと判定されたため、制御部１０１は、前回撮影時の測距点を、選択された測距点として設定する。Ｓ７１６では、制御部１０１は、タッチセンス回路１１１によって検出される、タッチ操作部材０１２に入力される撮影者の指の押圧方向操作に応じて、静電容量出力値ＳがＳ≧ｂ２であるかを判定する。制御部１０１は、静電容量出力値ＳがＳ≧ｂ２であると判定した場合、撮影準備動作を行うためにＳ７１２に進む。そうでない場合、Ｓ７０７に戻って測距点選択ボタン０１０が押下されたか否かの判定を再度行う。制御部１０１は、Ｓ７１２に進んだ後は、上述のＳ７１２〜Ｓ７１４の処理を実行する。
【００７９】
なお、上述の図７に係る処理では、Ｓ７１４における撮影動作がなされた場合に、撮影待機状態で開始される図６の処理に遷移する例を説明した。しかしながら、本実施形態は、撮影動作以外の処理がなされたタイミングで（撮影待機以外の状態である図７の処理から）撮影待機状態である処理に遷移してもよい。例えば、Ｓ７１０又はＳ７１６において制御部１０１がＳ≧ｂ２であると判定した後に撮影待機状態である処理のＳ６０３に進み、その後、閾値ｂ１及びｃ１を用いて撮影準備動作及び撮影動作を実行してもよい。この場合、閾値ｂ１は閾値ｂ２未満であり、閾値ｃ１は閾値ｂ２よりも大きい。この場合、制御部１０１がＳ≧ｂ２でないと判定した場合には、撮影待機状態に遷移しないだけでなく押圧に応じた処理を行わないようにしてもよい。このようにすれば、メニュー設定操作や再生操作時には撮影待機状態への移行や誤操作を抑制しつつ、撮影待機状態へ移行した後はより軽い押圧で素早く操作を行うことができる。また、Ｓ７０６において制御部１０１がＳ≧ａ２であると判定した場合に、撮影待機状態である処理のＳ６０３に進み、閾値ｂ１及びｃ１を用いて撮影準備動作及び撮影動作を実行してもよい。この場合、メニュー設定操作や再生操作時には撮影待機状態への移行を抑制しつつ、撮影待機状態へ遷移した後はより軽い押圧で素早く操作を行うことができる。すなわち、撮影者が撮影待機以外の状態から撮影待機状態に誤って移行させてしまうことを防止しつつ、撮影待機状態では、軽い力で素早く軽快に撮影準備指示を出すことが可能になる。
【００８０】
このように本実施形態によれば、撮影者は常に安定した把持状態を維持したまま、人差し指の位置を変える必要なくメニュー設定操作や再生操作が可能となり、意図せず撮影動作に移行してしまうことがない操作性のよいタッチ操作部材を提供することができる。また、撮影者はメニュー設定操作や再生操作状態であってもタッチ操作部材に対して少し強い押圧方向操作を行うことでＳＷ０状態に移行することができ、連続的で素早い撮影動作を行うことが可能である。すなわち、特定の操作部材に対する操作において、誤操作の発生を抑制しつつ少ない力で素早く操作を行うことが可能になる。
【００８１】
以上、本発明の好ましい実施形態について説明したが、本発明はこれらの実施形態に限定されず、その要旨の範囲内で種々の変形及び変更が可能である。
【００８２】
なお、制御部１０１が行うものとして説明した上述の各種制御は１つのハードウェアが行ってもよいし、複数のハードウェア（例えば、複数のプロセッサや回路）が処理を分担することで、装置全体の制御を行ってもよい。
【００８３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８４】
また、上述した実施形態においては、本発明を特定の操作部材に対する押圧力を検出可能なデジタルカメラに適用した場合を例にして説明したが、これはこの例に限定されず特定の操作部材に対する押圧力を検出可能な装置であれば適用可能である。すなわち、本発明はパーソナルコンピュータやＰＤＡ、スマートフォンを含む携帯電話端末、タブレットＰＣ、ゲーム機、医療機器などに適用可能である。
【００８５】
また、デジタルカメラ本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣ、時計型や眼鏡型のウェアラブル情報端末などの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００８６】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８７】
０１２…タッチ操作部材、０１２ｂ…タッチ検出部、１１１…タッチセンス回路、１０１…制御部、１１２…記録媒体、２０１…グリップ部
【図１】
2020027194.tif 000003
【図２】
2020027194.tif 000004
【図３Ａ】
2020027194.tif 000005
【図３Ｂ】
2020027194.tif 000006
【図４】
2020027194.tif 000007
【図５】
2020027194.tif 000008
【図６】
2020027194.tif 000009
【図７】
2020027194.tif 000010